(57)【要約】  本発明は、映画館であって、前記映画館の前壁に配設される映画表示画面と、複数の光源とを有する映画館において、環境照明効果を供給するための方法であって、前記映画表示画面に連続して表示されるべき第１及び第２画像コンテンツを受け取るステップと、前記第２画像コンテンツの色及び輝度のうちの少なくとも１つを決定するステップと、前記第２画像コンテンツの前記色及び前記輝度のうちの少なくとも１つに基づく環境照明効果を放射するよう、前記複数の光源を制御するための制御データの第２セットを決定するステップと、前記制御データの第２セットを、前記第１画像コンテンツと関連付けるステップとを有する方法に関する。本発明の利点は、とりわけ映画館において利用可能な「追加の空間」、例えば、壁、床及び天井を用いることによって、改善された環境照明経験を供給する可能性を含む。
2013514623.tif 000002
【特許請求の範囲】
【請求項１】
映画館であって、前記映画館の前壁に配設される映画表示画面と、複数の光源とを有する映画館において、環境照明効果を供給するための方法であって、
前記映画表示画面に連続して表示されるべき第１及び第２画像コンテンツを受け取るステップと、
前記第２画像コンテンツの色及び輝度のうちの少なくとも１つを決定するステップと、
前記第２画像コンテンツの前記色及び前記輝度のうちの少なくとも１つに基づく環境照明効果を放射するよう、前記複数の光源を制御するための制御データの第２セットを決定するステップと、
前記制御データの第２セットを、前記第１画像コンテンツと関連付けるステップとを有する方法。
【請求項２】
前記映画表示画面に前記第１画像コンテンツを表示するステップと、
前記制御データの第２セットを用いる前記環境照明効果を放射するよう、前記複数の光源を制御するステップとを更に有し、前記複数の光源が前記制御データの第２セットに対応する前記環境照明効果を放射するのと同時に、前記第１画像コンテンツが表示される請求項１に記載の方法。
【請求項３】
前記第１画像コンテンツが、前記第２画像コンテンツの前に前記映画表示画面に表示される請求項１又は２に記載の方法。
【請求項４】
前記第２画像コンテンツが、前記第１画像コンテンツの前に前記映画表示画面に表示される請求項１又は２に記載の方法。
【請求項５】
映画館の前壁に配設される映画表示画面のための環境照明システムであり、
制御ユニットと、
前記制御ユニットに接続されており、環境照明効果を放射するよう構成される複数の光源とを有する環境照明システムであって、
前記複数の光源が、
前記映画館の側壁に間隔をおいて配設されるもの、
前記映画館の座席、壁、床及び天井のうちの少なくとも１つを覆う発光織物として設けられるもの、又は
前記映画館の壁、床及び天井のうちの少なくとも１つを覆う発光しっくいとして設けられるもののうちの少なくとも１つである環境照明システム。
【請求項６】
前記制御ユニットが、
前記映画表示画面に連続して表示されるべき第１及び第２画像コンテンツを受け取り、
前記第２画像コンテンツの色及び輝度のうちの少なくとも１つを決定し、
前記第２画像コンテンツの前記色及び前記輝度のうちの少なくとも１つに基づく環境照明効果を放射するよう、前記複数の光源を制御するための制御データの第２セットを決定し、
前記第１画像コンテンツが前記映画表示画面に表示されるのと同時に、前記制御データの第２セットを用いる前記環境照明効果を放射するよう、前記複数の光源を制御するよう構成される請求項５に記載の環境照明システム。
【請求項７】
前記複数の光源が、ウォールウォッシャを有する請求項５又は６に記載の環境照明システム。
【請求項８】
映画表示画面と、請求項５乃至７のいずれか一項に記載の環境照明システムとを有する映画館。
【発明の詳細な説明】
【技術分野】
【０００１】
本発明は、環境照明システムに関する。本発明は、環境照明システムを制御するための方法にも関する。
【背景技術】
【０００２】
近年、所謂アンビライト（ambilight）テレビセットが、テレビのバイヤーの間で非常に人気になっている。このようなアンビライトシステムは、受信ビデオ信号に基づいて、示されているビデオに合う背景光がテレビの後ろの壁に放射されるように、光を生成する。その効果は、仮想画面の拡大及びより夢中になれる観賞経験である。
【０００３】
このようなアンビライトテレビセットの拡張の例は、WO08068698において開示されており、画像又はビデオレンダリングに、同時制御環境照明を加えるのを容易にするためのシステムを提供している。前記システムは、例えば居間に設けられる、ホームエンターテイメントシステムとして供給され得る。前記ホームエンターテイメントシステムは、ディスプレイと、例えば居間の各隅に配設される、「光スピーカ」の形態の光源とを有する。WO08068698のシステムを用いれば、環境照明の経験を更に拡張して、居間のより遠くの領域もカバーすることが可能であるかもしれない。
【発明の概要】
【発明が解決しようとする課題】
【０００４】
しかしながら、たとえ、WO08068698のシステムが、テレビ画面におけるビデオ又は画像の観賞時の環境照明経験を更に向上させるための興味深い特徴を供給するとしても、例えば映画館の舞台装置内に設けられるようなより大きな表示画面に適切な、更なる改善を供給することは望ましいだろう。
【課題を解決するための手段】
【０００５】
本発明の或る態様によれば、上記は、映画館であって、前記映画館の前壁に配設される映画表示画面と、複数の光源とを有する映画館において、環境照明効果を供給するための方法であって、前記映画表示画面に連続して表示されるべき第１及び第２画像コンテンツを受け取るステップと、前記第２画像コンテンツの色及び輝度のうちの少なくとも１つを決定するステップと、前記第２画像コンテンツの前記色及び前記輝度のうちの少なくとも１つに基づく環境照明効果を放射するよう、前記複数の光源を制御するための制御データの第２セットを決定するステップと、前記制御データの第２セットを、前記第１画像コンテンツと関連付けるステップとを有する方法によって、少なくとも部分的に満たされる。本発明の利点は、とりわけ映画館において利用可能な「追加の空間」、例えば、壁、床及び天井を用いることによって、改善された環境照明経験を供給する可能性を含む。即ち、前記映画表示画面に表示されるべき画像コンテンツが、前記映画表示画面に既に示された又は示されるだろう画像コンテンツについての知識を考慮に入れて、前記追加の空間にも広がる。前記画像コンテンツの分析を簡単にするために、前記画像コンテンツは、好ましくは、デジタル化される。しかしながら、画像コンテンツがアナログである場合においても、画像コンテンツの分析を実施することは、当然、可能だろう。
【０００６】
本発明の方法と共に用いられる、３つの状態を有する、あり得るシナリオの例は、色付きの車が、前記映画表示画面の左側から近づき、前記映画表示画面の右側の方へ移動するというものである。第１状態においては、前記車は、前記映画表示画面に示されないが、前記複数の光源のうちの、前記映画表示画面の左側に配設される選択的なセットが、前記車の色に対応する色の光を放射するだろう。第２状態においては、全く前記複数の光源のサポートなしに、又は前記複数の光源のうちの、前記映画表示画面を囲むよう配設される部分の小さなセットのサポートだけで、前記車が、前記映画表示画面に示され、第３状態が続き、前記第３状態においては、前記車は、再び、前記映画表示画面に示されないが、前記複数の光源のうちの、前記映画表示画面の右側に配設される選択的なセットが、前記車の色に対応する色の光を放射するだろう。事実上、前記車の、前記映画表示画面の左側から前記映画表示画面の右側への移動が、時間的に拡張されており、このようにして、前記映画表示画面に表示されている、例えば動画（即ちビデオ）及び／又は静止画コンテンツを有する、画像コンテンツの観客の視覚的経験を向上させる。前記複数の光源によって放射される光の輝度及び色は、例えば前記画像コンテンツ内の最も主要なオブジェクトの色及び輝度に依存してもよいが、より簡単な方法においては、前記画像コンテンツの全体的な平均輝度及び平均色だけに依存してもよい。
【０００７】
更に、前記複数の光源は、前記映画館内に互いから間隔をおいて配置され得るので、前記複数の光源の各々を、個々に制御可能である独立した「環境照明ピクセル」とみなすことが可能である。従って、上で例示されているようなシナリオにおいては、例えば、前記映画表示画面の左側に前記映画表示画面から最も遠く離れた光源が、前記映画表示画面により近い光源が前記車に対応する光を放射し始める前に、前記車に対応する色を持つ光を放射し始めることを可能にすることによって、空間的制御を可能にさせることも可能であり得る。
【０００８】
上記の例から理解されるように、前記映画表示画面に現在は示されていない前記画像コンテンツの色及び輝度のうちの少なくとも１つに依存する制御データが、前記複数の光源を制御するために用いられる。即ち、前記第２画像コンテンツに依存する前記制御データの第２セットを用いて前記複数の光源を制御するのと同時に、前記第１画像コンテンツが示される。当然、前記第２画像コンテンツの前に前記第１画像コンテンツを前記映画表示画面に表示することが可能であるだけでなく、前記第１画像コンテンツの前に前記第２画像コンテンツを前記映画表示画面に表示することも可能である。従って、前記視覚的経験の拡張は、時間的に両方向において可能であり、即ち、表示されるべき画像コンテンツに、前記複数の光源によって放射される光が先行するだけでなく、前記複数の光源によって放射される光が続き、事実上、前記画像コンテンツに基づく、周囲の面にわたる、色及び輝度の両方の時間変動勾配を可能にする。
【０００９】
前記画像コンテンツの分析及び前記制御データの決定は、「オンライン」及び「オフライン」の両方で達成されることができ、即ち、前記分析及び前記決定は、前記画像コンテンツが前記映画表示画面に示されるのと同時に行われてもよいが、予め行われてもよいことは理解されるだろう。このような場合には、例えば、制御データファイルには前記画像コンテンツと時間的な関係があるので、前記制御データは、前記画像コンテンツと一緒に別々に分散され得る。
【００１０】
本発明の別の態様によれば、映画館の前壁に配設される映画表示画面のための環境照明システムであり、制御ユニットと、前記制御ユニットに接続されており、環境照明効果を放射するよう構成される複数の光源とを有する環境照明システムであって、前記複数の光源が、前記映画館の側壁に間隔をおいて配設され、場合によっては、ウォールウォッシャ（wall-washer）を有する環境照明システムが提供される。他の例においては、前記複数の光源は、前記映画館の座席、壁、床及び天井のうちの少なくとも１つを覆う発光織物として設けられ得る。また更に、他の例においては、前記複数の光源は、前記映画館の壁、床及び天井のうちの少なくとも１つを覆う発光しっくいとして設けられ得る。前記光源の各々の個別制御を含む、前記複数の光源の上記の配置方法を組み合わせることも可能であり、本発明の範囲内である。
【００１１】
上に示されている前記複数の光源の異なる配置方法は、異なる状況及び実施（例えば、映画館の新築又は改装）に対して適切であり得る。映画館の改装においては、前記映画表示画面に対して本質的に垂直な、前記映画館の側壁に、ウォールウォッシャが設けられ得る。この実施例の特別な利点は、前記映画館の後ろの列に座っている観客に高い環境照明効果がもたらされ得ることである。なぜなら、これらの列を囲む壁も、前記環境照明効果に加わることができるからである。
【００１２】
「隠し光源」を持つ織物の覆いに関しては、これは、音響の観点から有利であり得る。この織物のカバー層は、織布であってもよいが、好ましい実施例においては、前記カバー層は、発光カーペットである、又は前記光源は、前記映画館内の椅子の布地に埋め込まれる。好ましくは、光透過性カーペットが、前記カーペットの下に配置される照明システムと共に、用いられ得る。更に、上で述べたように、例えば、前記映画館の天井、床又は前記壁を建設するのに用いられる例えば建材内に埋め込み光源を設けることも可能であり得る。
【００１３】
好ましくは、前記制御ユニットは、前記映画表示画面に連続して表示されるべき第１及び第２画像コンテンツを受け取り、前記第２画像コンテンツの色及び輝度のうちの少なくとも１つを決定し、前記第２画像コンテンツの前記色及び前記輝度のうちの少なくとも１つに基づく環境照明効果を放射するよう、前記複数の光源を制御するための制御データの第２セットを決定し、前記第１画像コンテンツが前記映画表示画面に表示されるのと同時に、前記制御データの第２セットを用いる前記環境照明効果を放射するよう、前記複数の光源を制御するよう構成される。本発明のこの実施例は、本発明の先の態様に関して上で述べた利点と同様の利点を供給する。
【００１４】
理解されるように、前記環境照明システムはまた、映画表示画面と、場合によっては、前記映画表示画面に画像コンテンツを表示するための手段、例えば、映写機とを更に有する映画館の一部を形成してもよい。
【００１５】
本発明の他の特徴及び利点は、添付の請求項及び以下の記載を研究すれば、明らかになるであろう。本発明の異なる特徴が、本発明の範囲から逸脱することなく、以下に記載されている実施例以外の実施例を作成するよう組み合され得ることは、当業者には分かるだろう。
【００１６】
以下の詳細な説明及び添付図面から、本発明の特定の特徴及び利点を含む本発明の様々な面が、容易に理解されるであろう。
【図面の簡単な説明】
【００１７】
【図１】本発明の現在好ましい実施例による環境照明システムを有する映画館を図示する。
【図２】本発明の現在好ましい実施例による環境照明システムを有する映画館を図示する。
【図３】本発明の現在好ましい実施例による環境照明システムを有する映画館を図示する。
【図４】本発明の現在好ましい実施例による環境照明システムを有する映画館を図示する。
【図５】前記環境照明システムを制御するための方法の概念上のフローチャートを図示する。
【図６ａ】映画館内の環境照明システムの例示的な動作を図示する。
【図６ｂ】映画館内の環境照明システムの例示的な動作を図示する。
【図６ｃ】映画館内の環境照明システムの例示的な動作を図示する。
【発明を実施するための形態】
【００１８】
以下、本発明の現在好ましい実施例が示されている添付図面を参照して、本発明をより詳細に説明する。しかしながら、この発明は、多様な形態で実施されることができ、ここに記載されている実施例に限定されると解釈されるべきではなく、もっと正確に言えば、これらの実施例は、完全及び完璧を期すために示されており、本発明の範囲を熟練した受取人に十分に伝える。全体を通して、同様の参照符号は、同様の素子を指す。
【００１９】
ここで、図面、とりわけ図１乃至４を参照すると、映画館１００の前壁１０４に配設される映画表示画面１０２と、映画館１００の右側壁１１４に間隔をおいて配設されるウォールウォッシャ１０６、１０８、１１０、１１２のような複数の光源とを有する映画館１００が示されている。映画館の左側壁には、当然、同様に配設される、同様のタイプの光源が設けられ得る。映画館１００内には、複数の椅子１１６であって、各々が、場合により各椅子の後部（当然、椅子の肘掛け内などの他の配置も可能である）において、椅子１１６の布地に光源１１８を埋め込んでいる複数の椅子１１６が設けられる。また、映画館の屋根１２０には、光源１２２を埋め込んでいるよう構成される材料、例えばしっくいが設けられる。更に、映画館１００の床１２４には、光源１２８を埋め込んでいる織物の床敷物１２６が設けられる。映画館の織物の椅子／床、及び／又は映画館の屋根に光源を埋め込むための様々な方法が、当業者には知られており、本発明の範囲内で可能である。更に、映画館１００内に上記のタイプの光源の全てを備える必要はない。もっと正確に言えば、本発明に従って供給されるような環境照明を映画館において供給するためには、上記の光源のうちの選択された一部が用いられ得る。
【００２０】
高いエネルギ効率を達成するために、光源１０６、１０８、１１０、１１２、１１８、１２２及び１２８は、好ましくは、発光ダイオード（ＬＥＤ）、有機発光ダイオード（ＯＬＥＤ）、ポリマ発光ダイオード（ＰＬＥＤ）、無機ＬＥＤ、冷陰極蛍光ランプ（ＣＣＦＬ）、熱陰極蛍光ランプ（ＨＣＦＬ）、プラズマランプを含むグループから選択され得る。ＬＥＤは、一般に、電力のせいぜい約６％しか光の形態で用いられないことをもたらす従来の電球と比較してずっと高いエネルギ効率を持つ。当然、アルゴン、クリプトン及び／又はキセノン光源などの標準的な白熱光源を用いることが可能だろうということは、当業者には分かるだろう。更により好ましい実施例においては、光源は、例えば、混色照明を作成するための、赤色、緑色、青色、黄色、マゼンタ及びシアンのＬＥＤのうちの少なくとも幾つかの組み合わせを含み得る。しかしながら、１つ又は複数の白色ＬＥＤを用いることも可能である。他の組み合わせも可能である。
【００２１】
光源を制御するために、随意に、光源の各々の個別制御を可能にするために光源の各々と電気接続するよう構成される、制御ユニット（図示せず）が設けられ得る。光源を駆動して環境照明を放射すべきタイミングを制御するために、画像／ビデオシーケンスを映画表示画面１０２上に表示するための手段との接続も設けられる。制御ユニットは、マイクロプロセッサ、マイクロコントローラ、プログラム可能なデジタルシグナルプロセッサ、又は別のプログラム可能な装置を含み得る。制御ユニットは、更に又はその代わりに、特定用途向け集積回路、プログラム可能なゲートアレイ若しくはプログラム可能なアレイ論理回路、プログラム可能な論理デバイス、又はデジタルシグナルプロセッサを含んでもよい。制御ユニットが、上記の、マイクロプロセッサ、マイクロコントローラ又はプログラム可能なデジタルシグナルプロセッサなどのプログラム可能な装置を含む場合、プロセッサは、プログラム可能な装置の動作を制御するコンピュータ実行可能なコードを更に含み得る。
【００２２】
図５を参照すれば、制御ユニットは、映画表示画面１０２上に画像／ビデオシーケンスを表示中、画像／ビデオシーケンスを分析して光源を駆動するための制御データを供給するようにも構成され得る。従って、制御ユニットは、第１ステップＳ１において、例えば、結果的に映画表示画面１０２上に表示されるよう意図されている画像及び／又はビデオシーケンスの一部のような、第１及び第２画像コンテンツを受け取り得る。例えば、あり得るシナリオにおいて、第１及び第２画像コンテンツは、道路と、映画表示画面の左側から映画表示画面の右側へ移動する赤色の車とを表示するために必要な画像コンテンツを有し、第１画像コンテンツは、第２画像コンテンツの前に表示されるべきである。それに応じて、第１画像コンテンツは、空の道路の視覚化を含んでもよく、第２画像コンテンツは、映画表示画面の左側に現れる赤色の車を含んでもよい。
【００２３】
従って、制御ユニットは、第２ステップＳ２において、例示的な前記シナリオにおいては車の赤色である、第２画像コンテンツのおそらくは主要な色を決定するよう構成され得る。前記色との相関関係において、第２画像コンテンツの輝度も、決定され、用いられ得る。
【００２４】
制御ユニットは、色及び輝度の決定に続いて、第３ステップＳ３において、光源を、環境照明を放射するよう制御するための制御データを決定し得る。制御データの決定は、好ましくは、光源の配置の少なくとも幾らかの知識を用いて、例えば、映画表示画面の左側及び右側におけるそれらの配置に関連して、及び／又は例えば側壁におけるそれらの個々の空間配置に関連して、行われる。従って、制御データは、好ましくは、「将来」に映画表示画面に表示されるべき画像コンテンツの色及び輝度と一緒に、環境照明のために用いられるよう意図されている個々の光源の配置を、考慮に入れる。
【００２５】
第４ステップＳ４においては、第２画像コンテンツから生じる制御データが、第１画像コンテンツと関連付けられ、それによって、映画表示画面に表示される実際の画像コンテンツの視覚的経験を拡張する可能性を見込む。赤色の車を備える前記あり得るシナリオに関しては、第２画像コンテンツの赤色の車に基づいており、映画表示画面の左側の光源を、赤色を持つ環境照明を放射するよう制御するために用いられ得る制御データと、第１画像コンテンツが関連付けられる。その後、第５ステップＳ５及び第６ステップＳ６において、光源が、環境照明を放射するよう光源を駆動するための第２画像コンテンツに対応する制御データを用いて制御されるのと同時に、第１画像コンテンツが、映画表示画面に表示される。
【００２６】
上記のように、第１画像コンテンツは、第２画像コンテンツの前に表示される。これは、当然、逆に動作してもよく、即ち、第２画像コンテンツが、第１画像コンテンツの前に表示されてもよく、事実上、時間的観点からすれば両方向において、即ち、第１画像コンテンツが表示される前及び第１画像コンテンツが表示された後の、視覚的経験の拡張を可能にする。赤色の車を備える前記シナリオに関しては、これは、車が左側に現れる前に、映画表示画面の左側に環境照明が供給されること、及び車が映画表示画面の右側で見えなくなった後に、映画表示画面の右側に環境照明が供給されることを可能にするだろう。
【００２７】
車１３８が、空の道路上で、映画表示画面１０２の左側から映画表示画面１０２の右側の方へ近づくシナリオが、本質的には図１に図示されている映画館に対応する、図６ａ乃至６ｃにおいて例示されている。図６ａにおいては、第２画像コンテンツが分析され、第２画像コンテンツに対応する制御データが、映画表示画面１０２の左側に配設された光源１３０、１３２、１３４、１３６を駆動するために用いられている。続くべきビデオシーケンスは、車１３８が映画表示画面１０２の左から右へ移動するように見えるので、光源１３２の前に光源１３０を点灯し始め、光源１３４の前に光源１３２を点灯し始めるなどといったように、光源１３０、１３２、１３４、１３６の空間分布を考慮に入れることも可能である。映画館１００内の観客のための視覚表現は、近づく車の視覚的経験を拡張し、映画表示画面１０２に表示されるべき将来のコンテンツの表現を与える。
【００２８】
図６ｂにおいて、車１３８が、映画表示画面１０２の左側に現れる。光源１３０、１３２、１３４、１３６を個々に制御する可能性が用いられ、従って、空間的観点で映画表示画面１０２に最も近い光源１３６だけが、制御データを用いて、環境照明を放射するよう駆動されるだろう。従って、図６ｃを参照すれば、車１３８が、映画表示画面１０２の右側をまさに去ろうとしているので、映画表示画面の右側の光源１０６、１０８、１１０、１１２が、映画館１００内で車１３８の仮想的な存在を「遅延観点」から拡張するために、環境照明を放射し始めるだろう。
【００２９】
本発明の特定の例示実施例に関して本発明を説明しているが、当業者には、多くの異なる変形例、修正例などが明らかになるであろう。開示されている実施例の変形は、当業者により、請求項記載の発明の実施において、図面、明細及び添付の請求項の研究から、理解され、達成され得る。例えば、制御データの決定は、上記のように、画像コンテンツが映画表示画面上に表示されるのと同時に「リアルタイムで」行われる。しかしながら、例えば画像／ビデオが映画上映のために準備されるのと同時に、制御データを「オフライン」決定することも可能であり、本発明の範囲内で可能にする。
【００３０】
更に、請求項において、「有する」という用語は、他の要素又はステップを除外せず、単数形表記は、複数性を除外しない。
【図１−４】
2013514623.tif 000003
【図５】
2013514623.tif 000004
【図６ａ】
2013514623.tif 000005
【図６ｂ】
2013514623.tif 000006
【図６ｃ】
2013514623.tif 000007
【国際調査報告】
2013514623.tif 000008
2013514623.tif 000009